(57)【要約】【課題】画素の焼き付き及び表示ムラの抑制された表示を行うことができる液晶表示装置を実現する。【解決手段】本発明に係る液晶表示装置１００は、複数の画素を有する液晶パネル２００と、前記複数の画素の極性を制御する極性制御回路１２１と、を備え、極性制御回路１２１は、極性を反転させる周期が互いに異なる複数の極性反転形式を有している。【選択図】図１
2012118338.tif 000002
【特許請求の範囲】
【請求項１】
複数の画素を有する液晶パネルと、
前記複数の画素の極性を制御する極性制御手段と、を備える液晶表示装置において、
前記極性制御手段は、極性を反転させる周期が互いに異なる複数の極性反転形式を有していることを特徴とする液晶表示装置。
【請求項２】
前記極性反転形式には、第１の垂直走査期間ごとに極性が反転する第１の極性反転形式が含まれており、
前記極性制御手段は、第１の極性反転形式と第１の極性反転形式以外の他の極性反転形式とを交互に切り替え、
第１の極性反転形式から第１の極性反転形式以外の他の極性反転形式への切り替えの周期が一定であることを特徴とする請求項１に記載の液晶表示装置。
【請求項３】
前記極性反転形式には、第１の垂直走査期間ごとに極性が反転する第１の極性反転形式が含まれており、
前記極性制御手段は、第１の極性反転形式と第１の極性反転形式以外の他の極性反転形式とを交互に切り替え、
第１の極性反転形式から第１の極性反転形式以外の他の極性反転形式への切り替えの周期が不規則であることを特徴とする請求項１に記載の液晶表示装置。
【請求項４】
前記極性制御手段は、各極性制御形式において、極性反転を１回以上行った後、極性反転形式の切り替えを行うことを特徴とする請求項１に記載の液晶表示装置。
【請求項５】
前記極性反転形式の切り替え順序が規則的であることを特徴とする請求項４に記載の液晶表示装置。
【請求項６】
前記極性反転形式の切り替え順序が不規則であることを特徴とする請求項４に記載の液晶表示装置。
【請求項７】
立体表示機能を有し、
前記複数の画素に画像を表示するための画像データを書き込む表示信号駆動回路を備え、
前記表示信号駆動回路は、立体表示が行われる時に、前記複数の画素のそれぞれに、連続する２垂直走査期間ごとに左眼画像データおよび右眼画像データを交互に書込み、
前記極性制御手段は、各画素の極性が、前記左眼画像データの書き込まれる前記２垂直走査期間と、前記右眼画像データの書き込まれる前記２垂直走査期間とのそれぞれにおいて等しくなるように、前記複数の画素の極性を制御することを特徴とする請求項２または３に記載の液晶表示装置。
【請求項８】
第１の極性反転形式は、２垂直走査期間ごとに極性が反転する極性反転形式であり、
前記他の極性反転形式は、４垂直走査期間ごとに極性が反転する極性反転形式であることを特徴とする請求項７に記載の液晶表示装置。
【請求項９】
第１の極性反転形式は、４垂直走査期間ごとに極性が反転する極性反転形式であり、
前記他の極性反転形式は、２垂直走査期間ごとに極性が反転する極性反転形式であることを特徴とする請求項７に記載の液晶表示装置。
【請求項１０】
前記極性制御手段は、前記他の極性反転形式によって極性を制御する場合、極性反転形式の切り替え時の極性反転を含めて極性反転を奇数回行った後、第１の極性反転形式に切り替えることを特徴とする請求項８または９に記載の液晶表示装置。
【請求項１１】
前記複数の画素は、複数の行および複数の列のマトリクス状に配列されており、
前記極性制御手段は、前記複数の画素の全体に前記左眼画像データおよび前記右眼画像データの一方が書き込まれたときに、前記複数の画素のうちの行方向および列方向に隣接する画素の極性が互いに異なるように、前記複数の画素の極性を制御することを特徴とする請求項７〜１０のいずれか１項に記載の液晶表示装置。
【請求項１２】
前記複数の画素は、複数の行および複数の列のマトリクス状に配列されており、
前記極性制御手段は、前記複数の画素の全体に前記左眼画像データおよび前記右眼画像データの一方が書き込まれたときに、前記複数の画素のうちの列方向に隣接する画素の極性が互いに等しくなるように、前記複数の画素の極性を制御することを特徴とする請求項７〜１０のいずれか１項に記載の液晶表示装置。
【請求項１３】
請求項７〜１２のいずれか１項に記載の液晶表示装置と、
左眼シャッターおよび右眼シャッターを有するシャッター眼鏡とを備え、
前記左眼シャッターは、前記左眼画像データの書き込まれる期間に開き、前記右眼シャッターは、前記右眼画像データの書き込まれる期間に開くことを特徴とする立体表示システム。
【請求項１４】
請求項１〜１３のいずれか１項に記載の液晶表示装置の前記極性制御手段として、コンピュータを動作させる制御プログラム。
【請求項１５】
請求項１４に記載の制御プログラムを記録したコンピュータ読み取り可能な記録媒体。
【発明の詳細な説明】
【技術分野】
【０００１】
本発明は、液晶表示装置に関するものであり、特に、立体表示機能を有する液晶表示装置に関する。
【背景技術】
【０００２】
液晶表示装置は、軽量、薄型および低消費電力等の利点を有しており、携帯電話の表示部等の小型の表示装置としてだけでなく、大型テレビジョンとしても利用されている。一般的な液晶表示装置は平面的な表示を行うが、近年、液晶表示装置を用いて、より臨場感のある立体的な表示を行うことが提案されている（特許文献１参照）。
【０００３】
特許文献１には、左眼用フレームおよび右眼用フレームを交互に表示する液晶表示装置と、シャッター眼鏡とを備える立体映像表示装置（立体表示システム）が開示されている。観察者は、シャッター眼鏡を装着して液晶表装置の表示画面を観察する。
【０００４】
図４は、特許文献１に開示されているフレームデータ及び液晶シャッターの制御方式を示すタイミングチャートである。特許文献１の液晶表示装置では、左眼用映像の表示期間において第１左眼用フレームＬ１と、第１左眼用フレームＬ１と同じ映像の第２左眼用フレームＬ２を順次表示し、右眼用映像の表示期間において第１右眼用フレームＲ１と、第１右眼用フレームＲ１と同じ映像の第２右眼用フレームＲ２を順次表示する。このとき、シャッター眼鏡の左眼シャッターは、液晶シャッタＬ制御信号１０８によって、液晶表示装置に第１左眼用フレームＬ１が書き込まれた後の垂直ブランキング期間２０５から次の第２左眼用フレームＬ２の期間まで開いている。また、シャッター眼鏡の右眼シャッターは、液晶シャッタＲ制御信号１０９によって、液晶表示装置に第１右眼用フレームＲ１が書き込まれた後の垂直ブランキング期間２０５から次の第２右眼用フレームＲ２の期間まで開いている。
【０００５】
このように、特許文献１の立体映像表示装置では、観察者が左眼用フレームおよび右眼用フレームを同時に視認するクロストークを防ぐとともに、観察者が左眼用フレームおよび右眼用フレームを視認できる期間を長くしており、これにより、輝度の増加を図っている。
【先行技術文献】
【特許文献】
【０００６】
【特許文献１】特開２００９−２３２２４９号公報（２００９年１０月８日公開）
【発明の概要】
【発明が解決しようとする課題】
【０００７】
上述したように、特許文献１の立体表示システムでは、１つの左眼用フレーム（左眼画像）のために液晶表示装置は２フレームの表示を行い、１つの右眼用フレーム（右眼画像）のために液晶表示装置は２フレームの表示を行っており、観察者が１つの立体画像を視認するために液晶表示装置は４つのフレームの表示を行う。この場合、観察者が動画表示可能な立体画像を視認するためには、液晶表示装置を高い垂直走査周波数で駆動することが必要となる。このように液晶表示装置を高い垂直走査周波数で駆動する場合、各画素が選択される期間が短くなるため、信号遅延の影響が大きくなり、画素の輝度が所定の値に到達しないことがある。
【０００８】
そのため、一般的な液晶表示装置の場合は、１フレームごとに画素の極性を反転させるが、画素の輝度を所定の輝度へ到達させるためには、左眼用画像を表示する２フレームの期間、右用画像を表示する２フレームの期間のそれぞれで、画素の極性を同じに保つ必要がある。このように２フレームの期間、画素の極性を同じに保つために、２フレーム周期で画素の極性を反転させた場合、左眼用画像を表示する時の画素の極性、右眼用画像を表示する時の画素の極性それぞれが、変化せずに固定されることになり、左右の画像データによっては画素の焼き付きが発生することがある。
【０００９】
これに対し、画素の極性を４フレーム周期で反転させた場合、右眼画像から左眼画像に切り替わる時、もしくは左眼画像から右眼画像に切り替わる時の、どちらか一方の時のみに常に極性反転が行われることになり、左右で画像の見え方が異なってしまう。また、画素の極性を６フレーム以上の周期で反転する場合、それぞれの画素が同じ極性を保つ期間が長いため、フリッカが発生する。
【００１０】
図５を参照して具体的に説明する。
【００１１】
図５（ａ）は、画素極性を２フレーム毎に反転させた場合の、液晶パネルの各画素の極性を示す図である。また、図５（ｂ）は、画素極性を４フレーム毎に反転させた場合の、液晶パネルの各画素の極性を示す図である。図５（ａ）および（ｂ）において、マス目の中に書かれた「＋」と「−」はそれぞれ画素の極性がプラスの極性とマイナスの極性であることを示しており、列方向および行方向に隣接する画素の極性が互いに異なるように配置されている。
【００１２】
図５（ａ）において、一番左上の画素に着目すると、１フレーム目、２フレーム目、および５フレーム目、６フレーム目、および９フレーム目の左眼画像表示時には、画素の極性は常にプラスを示し、３フレーム目、４フレーム目、及び７フレーム目、８フレーム目では画素の極性は常にマイナスを示す。すなわち、左眼画像表示時におけるそれぞれの画素は、常に同一の極性を示し、右眼画像表示時におけるそれぞれの画素も常に同一の極性を示す。この時、例えば液晶パネルがノーマリブラックのパネルで、右眼画像表示時には前記画素の表示階調が常に最小となるような場合、前記画素は常にプラスの極性の範囲でしか変化しないことになるので、画素の焼き付きが発生してしまう。このように、画素極性を２フレーム周期で反転させ続けた場合、表示する画像データによっては画素の焼き付きが発生することがある。
【００１３】
また、図５（ｂ）において、一番左上の画素に着目すると、１フレーム目から４フレーム目までは左眼画像、右眼画像共にプラスの極性を示し、５フレーム目から８フレーム目までは左眼画像、右眼画像共にマイナスの極性を示し、９フレーム目で再びプラスの極性に戻っている。画素の極性は、４フレーム目から５フレーム目に変わる時にプラスからマイナスに、および８フレーム目から９フレーム目に変わる時にマイナスからプラスに反転しているが、どちらの場合も右眼画像から左眼画像に切り替わる時に行われていることがわかる。このことから、画素極性を４フレーム周期で反転させ続けた場合、画素極性の反転するタイミングが右眼画像から左眼画像に切り替わる時、もしくは左眼画像から右眼画像に切り替わる時のどちらか一方に固定されることになり、結果として左眼画像と右眼画像の見え方が異なることがある。
【００１４】
また、一般的なテレビジョン装置の入力映像信号は６０ｆｐｓ以下であり、これを左眼用画像で２フレーム、右眼用画像で２フレームの計４フレームに拡張した場合、６フレーム以上で画素極性を反転させる場合は、画素極性の反転周波数は４０Ｈｚ以下となり、画素極性の反転によるフリッカと呼ばれる表示のちらつき現象が発生する可能性がある。
【００１５】
このように、常に一定の周期で画素極性を反転させると、各画素において、左眼画像表示時おける極性と、右眼画像表示時における極性とが、それぞれ常に一定になるために、画素の焼き付きが発生したり、右眼画像から左眼画像および左眼画像から右眼画像のいずれか一方の切り替え時のみに極性が反転することにより、左眼画像と右眼画像の見え方が異なるといった不都合を生じる。
【００１６】
本発明は、上記の問題点を解決するためになされたもので、その目的は、画素の焼き付き及び表示ムラの抑制された表示を行うことができる液晶表示装置および立体表示システムを実現することにある。
【課題を解決するための手段】
【００１７】
上記の課題を解決するために、本発明に係る液晶表示装置は、複数の画素を有する液晶パネルと、前記複数の画素の極性を制御する極性制御手段と、を備える液晶表示装置において、前記極性制御手段は、極性を反転させる周期が互いに異なる複数の極性反転形式を有していることを特徴としている。
【００１８】
上記の構成によれば、複数の画素の極性を制御する極性制御手段が、極性を反転させる周期が互いに異なる複数の極性反転形式を有している。これにより、各画素において、極性が反転する周期は、常に一定ではなく、変化することとなる。よって、極性が反転する周期が常に一定の場合に比べ、左眼画像表示時おける極性と右眼画像表示時おける極性との比率、および、左眼画像から右眼画像に切り替わる時と、右眼画像から左眼画像に切り替わる時の画素極性の反転頻度の偏りが、低減する。したがって、画素の焼き付き及び表示ムラの抑制された表示を行うことができる液晶表示装置を実現できる。
【００１９】
本発明に係る液晶表示装置では、前記極性反転形式には、第１の垂直走査期間ごとに極性が反転する第１の極性反転形式が含まれており、前記極性制御手段は、第１の極性反転形式と第１の極性反転形式以外の他の極性反転形式とを交互に切り替え、第１の極性反転形式から第１の極性反転形式以外の他の極性反転形式への切り替えの周期が一定であってもよい。
【００２０】
本発明に係る液晶表示装置では、前記極性反転形式には、第１の垂直走査期間ごとに極性が反転する第１の極性反転形式が含まれており、前記極性制御手段は、第１の極性反転形式と第１の極性反転形式以外の他の極性反転形式とを交互に切り替え、第１の極性反転形式から第１の極性反転形式以外の他の極性反転形式への切り替えの周期が不規則であってもよい。
【００２１】
本発明に係る液晶表示装置では、前記極性制御手段は、各極性制御形式において、極性反転を１回以上行った後、極性反転形式の切り替えを行ってもよい。
【００２２】
本発明に係る液晶表示装置では、前記極性反転形式の切り替え順序が規則的であってもよい。
【００２３】
本発明に係る液晶表示装置では、前記極性反転形式の切り替え順序が不規則であってもよい。
【００２４】
本発明に係る液晶表示装置は、立体表示機能を有し、前記複数の画素に画像を表示するための画像データを書き込む表示信号駆動回路を備え、前記表示信号駆動回路は、立体表示が行われる時に、前記複数の画素のそれぞれに、連続する２垂直走査期間ごとに左眼画像データおよび右眼画像データを交互に書込み、前記極性制御手段は、各画素の極性が、前記左眼画像データの書き込まれる前記２垂直走査期間と、前記右眼画像データの書き込まれる前記２垂直走査期間とのそれぞれにおいて等しくなるように、前記複数の画素の極性を制御することが好ましい。
【００２５】
上記の構成によれば、立体表示が行われる時に、前記複数の画素のそれぞれに、連続する２垂直走査期間ごとに左眼画像データおよび右眼画像データが交互に書込まれ、各画素の極性は、左眼画像データの書き込まれる前記２垂直走査期間と、右眼画像データの書き込まれる前記２垂直走査期間とのそれぞれにおいて等しくなる。これにより、観察者が左眼用フレームおよび右眼用フレームを同時に視認するクロストークを防ぐことができる。また、観察者が左眼用フレームおよび右眼用フレームを視認できる期間が長くなるので、輝度の増加を図ることができる。
【００２６】
本発明に係る液晶表示装置では、第１の極性反転形式は、２垂直走査期間ごとに極性が反転する極性反転形式であり、前記他の極性反転形式は、４垂直走査期間ごとに極性が反転する極性反転形式であってもよいし、第１の極性反転形式は、４垂直走査期間ごとに極性が反転する極性反転形式であり、前記他の極性反転形式は、２垂直走査期間ごとに極性が反転する極性反転形式であってもよい。
【００２７】
上記の構成によれば、１フレームで画素極性を反転させる場合に発生する輝度の低下や、６フレーム以上で画素極性を反転させる場合に発生するチラツキを抑えることができる。
【００２８】
本発明に係る液晶表示装置では、前記極性制御手段は、前記他の極性反転形式によって極性を制御する場合、極性反転形式の切り替え時の極性反転を含めて極性反転を奇数回行った後、第１の極性反転形式に切り替えることが好ましい。
【００２９】
上記の構成によれば、他の極性反転形式に切り替わる前の第１の極性反転形式による極性制御における最初のフレームを、先の先頭フレームとし、他の極性反転形式に切り替わった後の第１の極性反転形式による極性制御における最初のフレームを、後の先頭フレームとすると、第１の極性反転形式および他の極性反転形式がそれぞれ、２垂直走査期間および４垂直走査期間ごとに極性が反転する極性反転形式の場合、先の先頭フレームと後の先頭フレームとでは、視差画像および画素極性のいずれかが異なる。そのため、左眼画像表示時おける極性と右眼画像表示時おける極性との比率の偏りを低減できる。また、第１の極性反転形式および他の極性反転形式がそれぞれ、４垂直走査期間および２垂直走査期間ごとに極性が反転する極性反転形式の場合、画素極性の反転時における切り替え先の視差画像が、他の極性反転形式に切り替わる前の第１の極性反転形式による極性制御時と、他の極性反転形式に切り替わった後の第１の極性反転形式による極性制御時とで異なる。そのため、左眼画像から右眼画像に切り替わる時と、右眼画像から左眼画像に切り替わる時の画素極性の反転頻度の偏りを低減することができる。
【００３０】
本発明に係る液晶表示装置では、前記複数の画素は、複数の行および複数の列のマトリクス状に配列されており、前記極性制御手段は、前記複数の画素の全体に前記左眼画像データおよび前記右眼画像データの一方が書き込まれたときに、前記複数の画素のうちの行方向および列方向に隣接する画素の極性が互いに異なるように、前記複数の画素の極性を制御することが好ましい。
【００３１】
上記の構成によれば、フリッカや輝度ムラを抑えることができる。
【００３２】
本発明に係る液晶表示装置では、前記複数の画素は、複数の行および複数の列のマトリクス状に配列されており、前記極性制御手段は、前記複数の画素の全体に前記左眼画像データおよび前記右眼画像データの一方が書き込まれたときに、前記複数の画素のうちの列方向に隣接する画素の極性が互いに等しくなるように、前記複数の画素の極性を制御してもよい。
【００３３】
本発明に係る立体表示システムは、上記いずれかの液晶表示装置と、左眼シャッターおよび右眼シャッターを有するシャッター眼鏡とを備え、前記左眼シャッターは、前記左眼画像データの書き込まれる期間に開き、前記右眼シャッターは、前記右眼画像データの書き込まれる期間に開くことを特徴としている。
【００３４】
上記の構成によれば、液晶表示装置の観察者は映像を立体的に視ることができる。
【００３５】
また、上記液晶表示装置の前記極性制御手段として、コンピュータを動作させる制御プログラム、および当該制御プログラムを記録したコンピュータ読み取り可能な記録媒体も本発明の技術的範囲に含まれる。
【発明の効果】
【００３６】
以上のように、本発明に係る液晶表示装置は、複数の画素を有する液晶パネルと、前記複数の画素の極性を制御する極性制御手段と、を備える液晶表示装置において、前記極性制御手段は、極性を反転させる周期が互いに異なる複数の極性反転形式を有しているので、画素の焼き付き及び表示ムラの抑制された表示を行うことができる液晶表示装置を実現できるという効果を奏する。
【図面の簡単な説明】
【００３７】
【図１】本発明の実施形態に係る立体表示システムを示すブロック図である。
【図２】画素極性の制御の一例を示す図である。
【図３】画素極性の制御の他の例を示す図である。
【図４】従来構成における、フレームデータ及び液晶シャッターの制御方式を示すタイミングチャートである。
【図５】（ａ）は、画素極性を２フレーム毎に反転させた場合の、液晶パネルの各画素の極性を示す図であり、（ｂ）は、画素極性を４フレーム毎に反転させた場合の、液晶パネルの各画素の極性を示す図である。
【発明を実施するための形態】
【００３８】
本発明の実施の一形態について図１〜図３に基づいて説明すれば以下のとおりである。
【００３９】
図１は、本実施形態に係る立体表示システム３００を示すブロック図である。立体表示システム３００は、液晶表示装置１００と、シャッター眼鏡２８０とを備えている。
【００４０】
（液晶表示装置の構成）
液晶表示装置１００は、フレームレート制御回路１１０と、タイミングコントローラー１２０と、書込状態信号送信回路１３０と、走査信号駆動回路１４０と、表示信号駆動回路１５０と、バックライト駆動回路１６０と、液晶パネル２００と、バックライトユニット２５０とを備えている。走査信号駆動回路１４０はゲートドライバとも呼ばれ、表示信号駆動回路１５０はソースドライバとも呼ばれる。
【００４１】
液晶パネル２００は、複数の行および複数の列のマトリクス状に配列された複数の画素を有している。典型的には、画素として赤画素、緑画素および青画素が設けられており、赤画素、緑画素および青画素から構成されたカラー表示画素が任意の色の表示単位として機能する。なお、カラー表示画素は、赤、緑および青画素以外に別の画素（例えば、黄画素）をさらに有してもよい。ここでは図示しないが、液晶パネル２００は、前面基板、背面基板、および、それらに挟まれた液晶層を備えている。
【００４２】
ここでは、フレームレート６０ｆｐｓの入力映像信号がフレームレート制御回路１１０に入力される。例えば、入力映像信号はＮＴＳＣ信号である。フレームレート制御回路１１０は入力映像信号に基づいて入力映像信号のフレームレートよりも高いフレームレートの映像信号を生成する。フレームレート制御回路１１０によって生成される映像信号のフレームレートは所定値となるため、この処理はＦＲＣ（Ｆｒａｍｅ  Ｒａｔｅ  Ｃｏｎｔｒｏｌ）とも呼ばれる。一般的なテレビジョン装置で表示される入力映像信号に含まれる１秒あたりのフィールド数は６０であり、この入力映像信号のフレームレートは６０ｆｐｓ（ｆｒａｍｅｓ  ｐｅｒ  ｓｅｃｏｎｄ）と表記される。
【００４３】
例えば、フレームレート制御回路１１０は、フレームレート６０ｆｐｓの入力映像信号に基づいてフレーレート１２０ｆｐｓの映像信号を生成する。液晶表示装置１００は、立体表示を行う立体表示モードと、平面表示を行う平面表示モードを有し、立体表示モードの場合、映像信号には立体表示モードで表示されるべき画像データが含まれる。また、平面表示モードの場合、映像信号には平面表示モードで表示されるべき画像データが含まれる。また、映像信号がＢＤ規格等で２４ｐと表される場合、フレームレート制御回路１１０に入力される前に、例えば、２−３プルダウン変換が行われ、フレームレート制御回路１１０にはフレームレート６０ｆｐｓの入力映像信号が入力される。ただし、６０ｆｐｓ以外にも５０ｆｐｓ、４８ｆｐｓ等の映像信号が入力されることもある。
【００４４】
タイミングコントローラー１２０は、書込状態信号送信回路１３０、走査信号駆動回路１４０、表示信号駆動回路１５０およびバックライト駆動回路１６０を制御する。タイミングコントローラー１２０は、映像信号に基づいて表示信号を生成し、表示信号を表示信号駆動回路１５０に出力する。映像信号が立体表示モードで表示されるべき画像データを含む場合、タイミングコントローラー１２０は、左眼用画像データを２フレームに、右眼用画像を２フレームに拡張し、表示信号のフレームレートを２４０ｆｐｓに設定する。この時、１フレーム目の左眼用画像と２フレーム目の左眼用画像、１フレーム目の右眼用画像と２フレーム目の右眼用画像は、それぞれ同じ画像であってもよいし、オーバードライブ駆動等を行うために異なる画像にしてもよい。また、映像信号が平面表示モードで表示されるべき画像データを含む場合、タイミングコントローラー１２０は表示信号のフレームレートを１２０ｆｐｓに設定する。
【００４５】
このように、タイミングコントローラー１２０は表示モードに応じて表示信号のフレームレートを異ならせる。走査信号駆動回路１４０は液晶パネル２００の書き込みを行う画素を選択する走査信号を供給する。表示信号駆動回路１５０は液晶パネル２００の選択された画素に表示信号を供給する。走査信号駆動回路１４０および表示信号駆動回路１５０は表示信号のフレームレートに応じた垂直走査周波数で液晶パネル２００を駆動する。このように、タイミングコントローラー１２０が表示モードに応じて表示信号のフレームレートを異ならせることにより、液晶パネル２００の垂直走査周波数を表示モードに応じて異ならせることができる。
【００４６】
本実施形態では、液晶表示装置１００は、立体表示機能を有しており、表示信号駆動回路１５０は、立体表示が行われる時に、複数の画素のそれぞれに、連続する２垂直走査期間ごとに左眼画像データおよび右眼画像データを交互に書込む。
【００４７】
また、タイミングコントローラー１２０は極性制御回路１２１を備えている。極性制御回路１２１は、液晶パネル２００における複数の画素の極性制御を行うための極性制御信号を出力するものであり、特許請求の範囲に記載の極性制御手段に相当する。極性制御の詳細は後述する。
【００４８】
書込状態信号送信回路１３０は、立体表示モードにおける複数の画素の書込状態を示す書込状態信号をシャッター眼鏡２８０に送信する。
【００４９】
（シャッター眼鏡の構成）
シャッター眼鏡２８０はアクティブメガネとも呼ばれ、左眼シャッターと右眼シャッターを有している。液晶表示装置１００が左眼画像を表示する場合は、書込状態信号は左眼画像の表示を示し、シャッター眼鏡２８０の左眼シャッターが開き、右眼シャッターが閉じる。液晶表示装置１００が右眼画像を表示する場合は、書込状態信号は右眼画像の表示を示し、シャッター眼鏡２８０の右眼シャッターが開き、左眼シャッターが閉じる。このため、シャッター眼鏡２８０を装着した観察者は液晶表示装置１００が表示する左眼用画像を左眼でのみ観測し、右眼用画像を右眼でのみ観測することが可能となる。
【００５０】
また、バックライト駆動回路１６０は、バックライトユニット２５０を駆動する。これにより、バックライトユニット２５０は、液晶パネル２００の背面から光を照射する。
【００５１】
（画素の極性制御）
次に、液晶パネル２００における画素の極性制御ついて、図２および図３を参照して説明する。液晶パネル２００における複数の画素の極性は、タイミングコントローラー１２０の極性制御回路１２１が出力した極性制御信号に基づき、表示信号駆動回路１５０が前述の複数の画素のそれぞれを駆動することにより、決定される。なお、本実施形態において、画素の極性とは、液晶パネル２００の各画素に対して共通に設けられた共通電極の電位を基準とした、画素電極の電位の極性を意味する。
【００５２】
極性制御回路１２１は、画素の極性が、左眼画像データの書き込まれる２垂直走査期間と、右眼画像データの書き込まれる２垂直走査期間とのそれぞれにおいて等しくなるように、複数の画素の極性を制御する。さらに、極性制御回路１２１は、極性を反転させる周期が互いに異なる複数の極性反転形式を有している。極性反転形式には、２垂直走査期間ごとに極性が反転する極性反転形式（２フレーム毎の極性反転、第１の極性判定形式）と、４垂直走査期間ごとに極性が反転する極性反転形式（４フレーム毎の極性反転、他の極性判定形式）とが含まれる。
【００５３】
まず図２を参照し、２フレーム毎の極性反転を基本動作とし、４フレーム毎の極性反転を合間に挿入する手法について説明する。図２におけるフレーム番号の項目は、現在何フレーム目であるかを示し、視差画像の項目における「Ｌ」、「Ｒ」の表記はそれぞれ左眼用画像と右眼用画像を表示することを示す。画素極性の項目における「＋」、「−」の表記は、液晶パネル２００上のある画素に注目した時に、その画素がそれぞれプラス極性であることと、マイナス極性であることを示す。
【００５４】
まず１フレーム目からｎ−１フレーム目までは２フレーム周期で画素極性が反転し、左眼画像のときにはプラス極性、右眼画像の時にはマイナス極性を示すようになっている。次にｎフレーム目からｎ＋３フレーム目までの４フレームの期間を同じ極性に保ち、ｎ＋４フレーム目以降、再び２フレーム毎に極性を反転するようにしている。
【００５５】
このことにより、ｎ＋４フレーム目以降は左眼画像のときにはマイナス極性、右眼画像の時にはプラス極性を示すようになり、１フレーム目からｎ−１フレーム目までと左眼画像、右眼画像に対する極性が反転している。すなわち、１フレーム目（先の先頭フレーム）と、ｎ＋４フレーム目（後の先頭フレーム）とを比較すると、画素極性が同一である一方、視差画像が異なっている。
【００５６】
また、図２において、ｎ−２フレーム目からｎ＋１フレーム目まで、４フレームの期間を同じ極性（＋極性）に保ち、ｎ＋２フレーム目以降、再び２フレーム毎に極性を反転するようにした場合も、ｎ＋２フレーム目以降は左眼画像のときにはマイナス極性、右眼画像の時にはプラス極性を示すようになる。すなわち、１フレーム目（先の先頭フレーム）と、ｎ＋２フレーム目（後の先頭フレーム）とを比較すると、視差画像が同一である一方、画素極性が異なっている。
【００５７】
このように、先の先頭フレームと後の先頭フレームとでは、視差画像および画素極性のいずれかが異なるので、２フレーム毎の極性反転動作を基本の動作とする時には、合間に４フレームでの極性反転を行う極性反転形式を挿入することにより、左眼画像、右眼画像における画素極性の偏りを低減することができる。
【００５８】
また、図２では、４フレーム周期の極性反転形式を挿入する際に、極性反転形式の切り替え時の極性反転を含めて１回だけ極性が反転するようになっているが、極性反転形式の切り替え時の極性反転を含めて連続して３回以上の奇数回分４フレーム周期で反転するようにしても、同様に極性の偏りを無くすことができる。すなわち、挿入される極性反転形式では、極性反転形式の切り替え時の極性反転を含めて極性反転を奇数回行った後、極性反転形式を切り替える。これにより、先の先頭フレームと後の先頭フレームとで、視差画像および画素極性のいずれかを異ならせることができるため、左眼画像、右眼画像における画素極性の偏りを低減することができる。
【００５９】
次に、図３を参照し、４フレーム毎の極性反転を基本動作とし、２フレーム毎の極性反転を合間に挿入する手法について説明する。
【００６０】
まず１フレーム目からｎ−１フレーム目までは４フレーム周期で画素極性が反転し、画素極性の反転は右眼画像から左眼画像切り替わる時に行われている。次にｎフレーム目からｎ＋１フレーム目までの２フレームの期間を同じ極性に保ち、ｎ＋２フレーム目以降、再び４フレーム毎に極性が反転するようにしている。このことにより、ｎ＋２フレーム以降は、左眼画像から右眼画像に切り替わる時に画素極性の反転が行われることになり、１フレーム目からｎ−１フレーム目までとは逆の関係になっている。
【００６１】
また、図３において、ｎ−４フレーム目からｎ−３フレーム目までの２フレームの期間を同じ極性（プラス極性）に保ち、ｎ−２フレーム目以降、再び４フレーム毎に極性が反転するようにした場合も、ｎ−２フレーム目以降は、左眼画像から右眼画像に切り替わる時に画素極性の反転が行われる。
【００６２】
このように４フレーム毎の極性反転動作を基本の動作とする時には、合間に２フレームでの極性反転を挿入することにより、画素の極性反転タイミングにおける右眼画像、左眼画像の偏りを低減することができる。
【００６３】
図３では、２フレーム周期の極性反転形式を挿入する際に、極性反転形式の切り替え時の極性反転を含めて１回だけ極性が反転するようになっているが、極性反転形式の切り替え時の極性反転を含めて連続して３回以上の奇数回分２フレーム周期で反転するようにしても、同様に極性の偏りを低減することができる。
【００６４】
図２および図３において、基本となる極性反転周期以外での他の極性反転形式を挿入するタイミングは、定期的にあらかじめ決められたフレームごとに挿入してもよいし、ランダムに挿入してもよい。すなわち、基本となる極性反転形式から他の極性反転形式への切り替えの周期は、一定であってもよいし不規則であってもよい。
【００６５】
他の極性反転形式をランダムに挿入する手法としては、タイミングコントローラー１２０のＲＯＭやレジスタなどに乱数列を格納しておき、それに基づいて乱数を発生させることによりランダムなパターンを発生させる方法や、タイミングコントローラー１２０内にＬＦＳＲ（Ｌｉｎｅａｒ  Ｆｅｅｄｂａｃｋ  Ｓｈｉｆｔ  Ｒｅｇｉｓｔｅｒ）に代表される乱数発生回路を設け、乱数発生回路により生成された乱数列に基づいてランダムなパターンを発生させる方法がある。
【００６６】
（極性制御の変形例）
また、基本となる画素極性の反転周期を特に定めずに、複数種類の反転周期を切り替えることによっても極性の偏りを無くすことが可能となる。すなわち、複数の極性反転形式の切り替え順序が不規則であってもよい。例えば、前記のいずれかの乱数列生成手法を用いて１ｂｉｔ単位の乱数値を生成し、乱数値が０ならば４フレームで画素極性を反転し、乱数値が１ならば２フレームで画素極性を反転するというように割り当て、画素極性が反転するたびに乱数値を更新するようにすれば、画素極性の偏りを無くすことができる。この場合、各極性制御形式において、極性反転形式の切り替え時の極性反転を含めて極性反転を１回以上行った後、極性反転形式の切り替えを行うことが好ましい。
【００６７】
なお、複数の極性反転形式の切り替え順序が規則的であってもよい。
【００６８】
また、本実施形態では、極性制御回路１２１が、２垂直走査期間ごとに極性が反転する極性反転形式と、４垂直走査期間ごとに極性が反転する極性反転形式とを有していたが、これに限定されず、１垂直走査期間ごとに極性が反転する極性反転形式や、６垂直走査期間ごとに極性が反転する極性反転形式を有していてもよい。
【００６９】
いずれの方法で基本となる極性反転周期以外での極性反転周期を挿入する場合でも、（１）左眼画像表示時におけるプラス極性とマイナス極性の発生比率、（２）右眼画像表示時におけるプラス極性とマイナス極性の発生比率、（３）画像表示期間全体のプラス極性とマイナス極性の発生比率、および（４）左眼画像から右眼画像に切り替わる時と、右眼画像から左眼画像に切り替わる時の画素極性の反転頻度に偏りがないようにすることが望ましい。
【００７０】
本実施形態では、表示信号駆動回路１５０は、立体表示が行われる時に、複数の画素のそれぞれに、連続する２垂直走査期間ごとに左眼画像データおよび右眼画像データを交互に書込む構成であったが、１垂直走査期間ごとに左眼画像データおよび右眼画像データを交互に書込む構成であってもよい。
【００７１】
本実施形態では、極性制御回路１２１は、複数の画素の全体に左眼画像データおよび右眼画像データの一方が書き込まれたときに、複数の画素のうちの行方向および列方向に隣接する画素の極性が互いに異なるように、複数の画素の極性を制御する構成であったが、これに限定されない。例えば、極性制御回路１２１は、複数の画素の全体に左眼画像データおよび右眼画像データの一方が書き込まれたときに、複数の画素のうちの列方向に隣接する画素の極性が互いに等しくなるように、複数の画素の極性を制御してもよい。
【００７２】
（ソフトウェアによる本発明の実施）
また、上述した液晶表示装置１００の各ブロック、特に極性制御回路１２１は、ハードウェアロジックによって構成してもよいし、次のようにＣＰＵを用いてソフトウェアによって実現してもよい。
【００７３】
すなわち、液晶表示装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである液晶表示装置１００の制御プログラムのプログラムコード（実行形式プログラム、中間コードプログラム、ソースプログラム）をコンピュータで読み取り可能に記録した記録媒体を、上記液晶表示装置１００に供給し、そのコンピュータ（またはＣＰＵやＭＰＵ）が記録媒体に記録されているプログラムコードを読み出し実行することによっても、達成可能である。
【００７４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７５】
また、液晶表示装置１００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７６】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７７】
なお、本発明は、以下のようにも表現できる。
【００７８】
すなわち、本発明の液晶表示装置は、複数の画素が設けられた液晶表示装置において、前記複数の画素のそれぞれは、１以上の垂直走査期間にわたって等しい極性を示し、２種類以上の極性が反転する周期を有する。
【００７９】
また、前記複数の画素のそれぞれが、ある垂直走査期間ごとに極性が反転する動作を基本動作とし、前記基本動作時における極性反転周期とは異なる周期での極性の反転が定期的に発生し、前記基本動作時と異なる周期での極性の反転が連続して１回以上行われることが好ましい。
【００８０】
また、前記複数の画素のそれぞれが、ある垂直走査期間ごとに極性が反転する動作を基本動作とし、前記基本動作時における極性反転周期とは異なる周期での極性の反転がランダムに発生し、前記基本動作時と異なる周期での極性の反転が連続して１回以上行われることが好ましい。
【００８１】
また、前記複数の画素のそれぞれに対して、複数種類ある極性が反転する周期が、１回以上極性が反転するたびに交互に切り替わることが好ましい。
【００８２】
また、前記複数種類の極性反転の周期において、ある極性反転の周期から別の極性反転の周期に切り替わる時、あらかじめ決められたパターンにより、切り替わる極性反転の周期が選択されることが好ましい。
【００８３】
また、前記複数種類の極性反転の周期において、ある極性反転の周期から別の極性反転の周期に切り替わる時、ランダムに切り替わる極性反転の周期が選択されることが好ましい。
【００８４】
また、前記液晶表示装置は、立体表示機能を有し、立体表示を行う時に、前記複数の画素のそれぞれには、連続する２垂直走査期間ごとに左眼画像データおよび右眼画像データが交互に書き込まれ、前記複数の画素のそれぞれは、前記左眼画像データの書き込まれる前記２垂直走査期間にわたって等しい極性を示し、前記右眼画像データの書き込まれる前記２垂直走査期間にわたって等しい極性を示すことが好ましい。
【００８５】
また、前記複数の画素は、複数の行および複数の列のマトリクス状に配列されており、前記複数の画素の全体に前記左眼画像データおよび前記右眼画像データの一方が書き込まれたときに前記複数の画素のうちの列方向に隣接する画素の極性は互いに等しいことが好ましい。
【００８６】
また、前記複数の画素は、複数の行および複数の列のマトリクス状に配列されており、前記複数の画素の全体に前記左眼画像データおよび前記右眼画像データの一方が書き込まれたときに前記複数の画素のうちの行方向および列方向に隣接する画素の極性は互いに異なることが好ましい。
【産業上の利用可能性】
【００８７】
本発明は、立体映像を表示可能な液晶表示装置に特に好適である。
【符号の説明】
【００８８】
１００  液晶表示装置
１１０  フレームレート制御回路
１２０  タイミングコントローラー
１２１  極性制御回路（極性制御手段）
１３０  書込状態信号送信回路
１４０  走査信号駆動回路
１５０  表示信号駆動回路
１６０  バックライト駆動回路
２００  液晶パネル
２５０  バックライトユニット
２８０  シャッター眼鏡
３００  立体表示システム
【図１】
2012118338.tif 000003
【図２】
2012118338.tif 000004
【図３】
2012118338.tif 000005
【図４】
2012118338.tif 000006
【図５】
2012118338.tif 000007
【手続補正書】
【提出日】平成24年2月28日(2012.2.28)
【手続補正１】
【補正対象書類名】明細書
【補正対象項目名】００１７
【補正方法】変更
【補正の内容】
【００１７】
上記の課題を解決するために、本発明に係る液晶表示装置は、複数の画素を有する液晶パネルと、前記複数の画素の極性を制御する極性制御手段と、を備える液晶表示装置において、前記極性制御手段は、極性を反転させるフレーム周期が互いに異なる複数の極性反転形式を有しており、当該複数の極性反転形式を切り替えることを特徴としている。
【手続補正２】
【補正対象書類名】明細書
【補正対象項目名】００１８
【補正方法】変更
【補正の内容】
【００１８】
上記の構成によれば、複数の画素の極性を制御する極性制御手段が、極性を反転させるフレーム周期が互いに異なる複数の極性反転形式を有しており、当該複数の極性反転形式を切り替える。これにより、各画素において、極性が反転する周期は、常に一定ではなく、変化することとなる。よって、極性が反転する周期が常に一定の場合に比べ、左眼画像表示時おける極性と右眼画像表示時おける極性との比率、および、左眼画像から右眼画像に切り替わる時と、右眼画像から左眼画像に切り替わる時の画素極性の反転頻度の偏りが、低減する。したがって、画素の焼き付き及び表示ムラの抑制された表示を行うことができる液晶表示装置を実現できる。
【手続補正３】
【補正対象書類名】明細書
【補正対象項目名】００３６
【補正方法】変更
【補正の内容】
【００３６】
以上のように、本発明に係る液晶表示装置は、複数の画素を有する液晶パネルと、前記複数の画素の極性を制御する極性制御手段と、を備える液晶表示装置において、前記極性制御手段は、極性を反転させるフレーム周期が互いに異なる複数の極性反転形式を有しており、当該複数の極性反転形式を切り替えるので、画素の焼き付き及び表示ムラの抑制された表示を行うことができる液晶表示装置を実現できるという効果を奏する。
【手続補正４】
【補正対象書類名】特許請求の範囲
【補正対象項目名】全文
【補正方法】変更
【補正の内容】
【特許請求の範囲】
【請求項１】
複数の画素を有する液晶パネルと、
前記複数の画素の極性を制御する極性制御手段と、を備える液晶表示装置において、
前記極性制御手段は、極性を反転させるフレーム周期が互いに異なる複数の極性反転形式を有しており、当該複数の極性反転形式を切り替えることを特徴とする液晶表示装置。
【請求項２】
前記極性反転形式には、第１の垂直走査期間ごとに極性が反転する第１の極性反転形式が含まれており、
前記極性制御手段は、第１の極性反転形式と第１の極性反転形式以外の他の極性反転形式とを交互に切り替え、
第１の極性反転形式から第１の極性反転形式以外の他の極性反転形式への切り替えの周期が一定であることを特徴とする請求項１に記載の液晶表示装置。
【請求項３】
前記極性反転形式には、第１の垂直走査期間ごとに極性が反転する第１の極性反転形式が含まれており、
前記極性制御手段は、第１の極性反転形式と第１の極性反転形式以外の他の極性反転形式とを交互に切り替え、
第１の極性反転形式から第１の極性反転形式以外の他の極性反転形式への切り替えの周期が不規則であることを特徴とする請求項１に記載の液晶表示装置。
【請求項４】
前記極性制御手段は、各極性制御形式において、極性反転を１回以上行った後、極性反転形式の切り替えを行うことを特徴とする請求項１に記載の液晶表示装置。
【請求項５】
前記極性反転形式の切り替え順序が規則的であることを特徴とする請求項４に記載の液晶表示装置。
【請求項６】
前記極性反転形式の切り替え順序が不規則であることを特徴とする請求項４に記載の液晶表示装置。
【請求項７】
立体表示機能を有し、
前記複数の画素に画像を表示するための画像データを書き込む表示信号駆動回路を備え、
前記表示信号駆動回路は、立体表示が行われる時に、前記複数の画素のそれぞれに、連続する２垂直走査期間ごとに左眼画像データおよび右眼画像データを交互に書込み、
前記極性制御手段は、各画素の極性が、前記左眼画像データの書き込まれる前記２垂直走査期間と、前記右眼画像データの書き込まれる前記２垂直走査期間とのそれぞれにおいて等しくなるように、前記複数の画素の極性を制御することを特徴とする請求項２または３に記載の液晶表示装置。
【請求項８】
第１の極性反転形式は、２垂直走査期間ごとに極性が反転する極性反転形式であり、
前記他の極性反転形式は、４垂直走査期間ごとに極性が反転する極性反転形式であることを特徴とする請求項７に記載の液晶表示装置。
【請求項９】
第１の極性反転形式は、４垂直走査期間ごとに極性が反転する極性反転形式であり、
前記他の極性反転形式は、２垂直走査期間ごとに極性が反転する極性反転形式であることを特徴とする請求項７に記載の液晶表示装置。
【請求項１０】
前記極性制御手段は、前記他の極性反転形式によって極性を制御する場合、極性反転形式の切り替え時の極性反転を含めて極性反転を奇数回行った後、第１の極性反転形式に切り替えることを特徴とする請求項８または９に記載の液晶表示装置。
【請求項１１】
前記複数の画素は、複数の行および複数の列のマトリクス状に配列されており、
前記極性制御手段は、前記複数の画素の全体に前記左眼画像データおよび前記右眼画像データの一方が書き込まれたときに、前記複数の画素のうちの行方向および列方向に隣接する画素の極性が互いに異なるように、前記複数の画素の極性を制御することを特徴とする請求項７〜１０のいずれか１項に記載の液晶表示装置。
【請求項１２】
前記複数の画素は、複数の行および複数の列のマトリクス状に配列されており、
前記極性制御手段は、前記複数の画素の全体に前記左眼画像データおよび前記右眼画像データの一方が書き込まれたときに、前記複数の画素のうちの列方向に隣接する画素の極性が互いに等しくなるように、前記複数の画素の極性を制御することを特徴とする請求項７〜１０のいずれか１項に記載の液晶表示装置。
【請求項１３】
請求項７〜１２のいずれか１項に記載の液晶表示装置と、
左眼シャッターおよび右眼シャッターを有するシャッター眼鏡とを備え、
前記左眼シャッターは、前記左眼画像データの書き込まれる期間に開き、前記右眼シャッターは、前記右眼画像データの書き込まれる期間に開くことを特徴とする立体表示システム。
【請求項１４】
請求項１〜１３のいずれか１項に記載の液晶表示装置の前記極性制御手段として、コンピュータを動作させる制御プログラム。
【請求項１５】
請求項１４に記載の制御プログラムを記録したコンピュータ読み取り可能な記録媒体。